(57)【要約】      （修正有）【課題】紙テープを用いた斬新な手芸製品を提供し、手芸の新分野への展開と、製品化の拡大を図る。【解決手段】紙縒り糸を所要幅に複数本並列して引き揃え固着せしめた紙テープ１を、中心に穴２を存して所要径に巻成してなる円盤状部の中心部を一側より押して、押し出し方向にらせん状をなして山状に凸出する凸出部４を形成せしめると共に、該山状凸出部４内面側に接着剤を塗布し固定せしめた手芸用基材である。紙縒り糸は２色以上の異色の糸を用いてもよく、また紙テープを巻成時、色の異なる紙テープを混在せしめて巻成してもよい。なお、紙縒り糸の引き揃え本数は７から１５本が好ましい。【選択図】図２
0003109818.tif 000002
【実用新案登録請求の範囲】
【請求項１】
紙縒り糸を所要幅に複数本並列して引き揃え固着せしめた紙テープを、中心に穴を存して所要径に巻成してなる円盤状物の前記中心部を一側より押して押し出し方向にらせん状をなして山状に凸出する凸出部を形成せしめると共に、該山状凸出部内面側に接着剤を塗布し固定せしめたことを特徴とする手芸用基材。
【請求項２】
紙縒り糸を所要幅に複数本並列して引き揃え固着せしめた紙テープにおいて、紙縒り糸に２色以上の異色糸を用いる請求項１記載の手芸用基材。
【請求項３】
紙テープを巻成時、色の異なる紙テープを混在せしめて巻成する請求項１または２記載の手芸用基材。
【請求項４】
紙縒り糸の引き揃え本数が７〜１５本である請求項１，２または３記載の手芸用基材。
【請求項５】
請求項１〜４の何れかの項に記載の手芸用基材の外面側に動物の目，鼻，耳，足などのパーツを固定し、形成してなる上記手芸用基材を用いたマスコット。
【考案の詳細な説明】
【技術分野】
【０００１】
本考案は紙縒り糸を並列して固着した紙テープを利用する手芸用基材ならびに該基材を用いて作成したマスコット等の手芸製品に関するものである。
【背景技術】
【０００２】
手芸は日常生活において広く取り入れられ、手芸操作によりインテリア小物やバッグ，円座，角座，帽子など、種々の手芸製品が作成されているが、これらは殆どかぎ針やアフガン針などの編針を用い手芸用編糸を編成することにより作られていた。しかし、近時、上記の如き編み手芸に並行して紙縒り糸を所要幅に複数本並列固着した紙テープを手芸材料とする技法が開発され、同色又は異色のテープを利用することにより筆立てや皿，籠などを作成することが試みられている。
【考案の開示】
【考案が解決しようとする課題】
【０００３】
しかしながら、上記紙テープ利用の各手芸製品は該テープを糸の代わりとして編織は編組して製品化したものであり、手芸材料の斬新さはあるものの製品としての独創性にやや欠けていた。
【０００４】
本考案は上述の如き実状に対処し、特に紙テープ利用による新規な技法を見出すことにより紙テープを用いた斬新な手芸製品を提供し、手芸製品の新分野への展開と斬新な構造による製品の拡大を図ることを目的とするものである。
【課題を解決するための手段】
【０００５】
即ち、上記目的に適合する本考案の特徴は、１つは製品の基材となる構成であって、紙縒り糸を所要幅に複数本並列して引き揃え固着せしめた紙テープを、中心に穴を存して所要径に巻成してなる円盤状物の前記中心部を一側より押し出して、押し出し方向にらせん状をなして山状に凸出する凸出部を形成せしめると共に、該山状凸出部内面側に接着剤を塗布し固定せしめた手芸用基材にある。
【０００６】
ここで、紙縒り糸を所要幅に複数本並列して固着せしめた紙テープは、紙縒り糸に2色以上の異色紙縒り糸を混ぜて用いることも可能であり、また紙テープを用いて巻成時、色の異なる紙テープを混在せしめて巻成することも可能である。なお、紙縒り糸の引き揃え本数は７〜１５本が最も実用上、好適である。また本考案は上記による手芸用基材を用いて、その外面側に動物の目，鼻，耳，足などの各パーツを固定し手芸製品、特にマスコットを形成することも特徴とするところである。
【考案の効果】
【０００７】
上記本考案によれば、中心に穴を有して所要径に巻成した円盤状物の中心部を一側より押し出してらせん状をなして山形に凸出する凸出部を形成し、内面側に接着剤を塗布して固定せしめたものであるから、製作が簡単であると共に、巻き数によって大きさの異なる手芸基材を得ることができるので作成しようとする製品の大きさに適合させることが容易であり、しかも紙テープを構成する紙縒り糸あるいは巻成時の紙テープに随時、異色のテープを混在させることにより、美麗で雅趣豊かな手芸製品が得られる特色があり、手芸製品の幅を広げ、手芸の普及に貢献する顕著な効果を有している。
【考案を実施するための最良の形態】
【０００８】
以下、更に添付図面に基づいて本考案の具体的形態を説明する。
【０００９】
図１〜図３は本考案に係る手芸用基材の製作態様を示し、１は紙縒り糸を所要幅に複数本並列して引き揃え、接着剤等で固着した紙テープ、Ａは該紙テープ１を中心に穴２を存して所要の径に巻成した円盤状物、３は該円盤状物Ａの巻成時の終端固定部である。
【００１０】
これら図に示す如く紙テープ１は所要の径の円盤状物Ａとして巻成されるが、このとき所要長さの一端をはさみ等でよくならし柔らかくしてペンチその他、適宜な器具で巻成しようとする所要長さの一端を挟み、これを中心として巻成することにより円盤状物Ａの中心に穴２が形成される。この穴２の径は通常、０．５ｃｍφ前後である。そして巻成時の終端はのり，接着剤で固定されるが、固定部３の長さは随時、選定され、通常、２ｃｍ程度である。なお、紙テープ１の紙縒り糸引き揃え本数は特に制限はないが、一般的に７本引き揃え，１２本引き揃えなど、７〜１５本程度が実用上、最も好適である。この場合、同色に限らず、色の異なる紙縒り糸を引き揃えることも色彩効果を高める上から有効である。
【００１１】
上記の如く紙テープ１を形成した円盤状物Ａに対し、次にその中心の穴２付近を一側、図２のように下側より押し出して、押し出し方向にらせん状をなして凸出する凸出部４を形成する。凸出の程度は巻成時の巻数によって適宜変更自在であり、製作しようとする手芸製品に応じて適宜、選定することができる。巻成にあたっては色の異なる紙縒り糸を並列して引き揃えた多彩な紙テープの混用の外、異色の紙テープ１を適宜混用し、混在せしめることにより色彩効果を高めることもできる。
【００１２】
かくして得られた凸出部４が形成された基材Ａは、その後、その内面側にボンド等の接着剤５を塗り、指で内側全体にならすことによって基材の形態が固定される。この際、接着剤５は可及的透明なものであることが好ましい。
【００１３】
図４，図５は上記により得られた凹彎曲内面を有し、外方に凸出する手芸用基材を用いた手芸製品の例であり、夫々基材外面に製品例に応じ、図では凸出部を上方に向けてヒヨコ，ウサギの胴部とし、外面にヒヨコでは目１１，くちばし１２，ネクタイ１３，羽１４，足１５の各パーツをボンドで固定し、ヒヨコのマスコットとした例が示されている。
【００１４】
また、ウサギでは基材外面に目２１，鼻２２，耳２３，白色ボンテン(飾り玉)２４，ピンクボンテン(飾り玉)２５，にんじん２６の各パーツをボンドで固定してウサギのマスコットに作成している。その他、各種製品に応じ随時パーツを作り、基材外面に適宜、固定することにより各種のマスコットが得られる。なお、同色又は異色の紙テープを用いて各種形状製品を作成可能であるが、前記動物のマスコットは最も喜ばれる手芸製品である。
【００１５】
本考案は上述した如く、新規な手芸用基材と、該基材を用いた手芸製品であり、装飾小物などに利用されるが、図示のようにマスコットに紐１６，２７を設け、下端に鈴などをつけてマスコット本体の内側から紐を通すことにより携帯に便ならしめることができる。
【図面の簡単な説明】
【００１６】
【図１】本考案手芸用基材の基本材料を示す斜視図である。
【図２】上記手芸用基材の外観斜視図である。
【図３】手芸用基材内面に接着剤を塗布する態様を示す。
【図４】本考案基材を用いた手芸製品の１例を示す正面概要図である。
【図５】本考案基材を用いた手芸製品の他の例を示す正面概要図である。
【符号の説明】
【００１７】
Ａ：円盤状物
１：紙テープ
２：中心穴
３：固定部
４：凸出部
５：接着剤(ボンド)
【図１】
0003109818.tif 000003
【図２】
0003109818.tif 000004
【図３】
0003109818.tif 000005
【図４】
0003109818.tif 000006
【図５】
0003109818.tif 000007